(57)【要約】【課題】ICメモリの識別情報により、ICメモリを付加した製品の製造元からユーザが享受し得るサービスに係わる全部の情報にアクセスが可能な携帯通信端末を提供する。【解決手段】ブラウザ４３は、webブラウザ、及びサービス内容に係わる情報を閲覧する機能を有する専用のブラウザを含む。AP４１は、携帯電話機端末１aがキャリアAにより設定された所定の無線通信回線を通じて最初にキャリアサーバ５aとの間で交信を行うに際し、キャリア別APサーバ９aから通信ネットワーク１５、キャリアサーバ５a、及び通信ネットワーク１７を通じて携帯電話機端末１aにダウンロードされる。AP４１が、携帯電話機端末１aがサービス提供サーバ１１b乃至１１dの管理下に置かれるサービス内容に係わる情報の何れかを読み込むに際して起動される専用のAPである。【選択図】図３
2009135609.tif 000002
【特許請求の範囲】
【請求項１】
少なくとも通話機能を有する携帯通信端末において、
情報処理機能と情報送／受信機能とを有するICメモリへの情報の書込み、及び該ICメモリに格納されている情報の読出しを行う情報書込み／読出し部と、
前記情報書込み／読出し部により前記ICメモリから読出された前記ICメモリに係わる識別情報に基づき、所定の情報通信回線を通じて、所望の情報を蓄積する外部情報処理機器にアクセスし、該外部情報処理機器から前記所望の情報を読込む情報アクセス・読込み部と、
前記情報アクセス・読込み部により読込まれた情報を、視認可能な態様で表示する表示部と、
を備える携帯通信端末。
【請求項２】
請求項１記載の携帯通信端末において、
前記ICメモリが、個々の製品毎に付加されるRFIDタグである携帯通信端末。
【請求項３】
請求項１記載の携帯通信端末において、
前記情報アクセス・読込み部が、予め前記携帯通信端末内に設定されているwebブラウザ、及び前記所望の情報を閲覧する機能を有する専用のブラウザを含む携帯通信端末。
【請求項４】
請求項３記載の携帯通信端末において、
前記情報アクセス・読込み部が、所定の情報通信回線を通じて外部情報機器から送信される前記所望の情報を閲覧する機能を有する専用のアプリケーション・プログラムである携帯通信端末。
【請求項５】
請求項４記載の携帯通信端末において、
前記専用のアプリケーション・プログラムが、前記携帯通信端末の初期設定時に、前記携帯通信端末に対し、所定の通信回線を設定したキャリアの管理下に置かれる情報処理機器から前記所定の通信回線を通じて前記携帯通信端末に送信される携帯通信端末。
【請求項６】
請求項１記載の携帯通信端末において、
前記所望の情報を蓄積する外部情報処理機器が、前記専用のブラウザによって閲覧可能な情報を格納する第1の外部情報処理機器と、前記専用のAPによってのみ読込みが可能な情報を格納する第２の外部情報処理機器と、を含む携帯通信端末。
【請求項７】
携帯通信端末に対し、所定の通信回線を設定するキャリアの管理下に置かれる情報処理装置において、
個々の製品に付加される、情報処理機能と情報送／受信機能とを有する個々のICメモリに係わる識別情報と、それらの識別情報毎に対応付けられて設定されている情報であって、前記携帯通信端末が所望の情報を蓄積する外部情報処理機器にアクセスして前記所望の情報を読込むのに必要な専用のアプリケーション・プログラムの格納先に係わる情報とを含む情報管理テーブルを記憶する記憶部と、
携帯通信端末が読込んだ前記識別情報が入力された場合に、前記識別情報に対応する前記格納先に係わる情報を前記記憶部に記憶されている情報管理テーブル中から選択する格納先情報選択部と、
前記格納先情報選択部により選択された前記格納先情報を、前記携帯通信端末に送信すべく出力する格納先情報出力部と、
を備える情報処理装置。
【請求項８】
請求項７記載の情報処理装置において、
前記携帯通信端末が、前記所定の通信回線を通じて前記格納先情報出力部から出力された前記格納先情報に基づき、前記キャリアの管理下に置かれる、前記専用のアプリケーション・プログラムを格納している情報処理機器にアクセスして、該情報処理機器より前記専用のアプリケーション・プログラムの配信を受ける情報処理装置。
【請求項９】
個々の製品に付加される、情報処理機能と情報送／受信機能とを有する１又は複数のICメモリと、
通話機能と、前記ICメモリに格納されている情報の読出し機能と、を少なくとも有する１又は複数の携帯通信端末と、
前記携帯通信端末に対し、所定の通信回線を通じて提供するための、前記ICメモリが付加された個々の製品のユーザが享受し得る各種サービスの内容に係わる情報を蓄積する第１の情報処理装置と、
前記携帯通信端末に対し、所定の通信回線を設定するキャリアの管理下に置かれる第2の情報処理装置であって、前記携帯通信端末が、前記所定の通信回線を通じて前記第１の情報処理装置にアクセスして前記各種サービスの内容に係わる情報を読込むのに必要な専用のアプリケーション・プログラムを蓄積する第２の情報処理装置と、
前記第２の情報処理装置と共に前記キャリアの管理下に置かれる、前記携帯通信端末が前記専用のアプリケーション・プログラムの蓄積先である前記第２の情報処理装置を検索するのに必要な情報を格納する第3の情報処理装置と、
を備え、
前記携帯通信端末が、前記第３の情報処理装置に格納されている情報に基づき、前記第2の情報処理装置にアクセスして前記専用のアプリケーション・プログラムを読出し、該専用のアプリケーション・プログラムを利用して前記第１の情報処理装置から所望のサービスの内容に係わる情報を読込むようにした情報処理システム。
【発明の詳細な説明】
【技術分野】
【０００１】
本発明は、少なくとも通話機能と、情報処理機能と情報送／受信機能とを有するICメモリとの間で情報通信を行う機能とを有する携帯通信端末、該携帯通信端末との間で所定の通信回線を通じて情報の授受を行う情報処理装置、及び上記携帯通信端末と、上記情報処理装置とを備える情報処理システムに関する。
【背景技術】
【０００２】
従来、ユーザ等が取得した所定の情報について、該情報の不正な複製を防止でき、且つ、所定の情報の入手元における機器管理、及び情報の入手元を広範囲に設定できるようにすることを目的とした情報処理システムが提案されている。該提案に係る情報処理システムでは、サーバにおいて保有されているデータ、及びサービス情報が、暗号化された状態で記憶媒体に受信されて記憶され、記憶媒体に記憶されている上記データ、及びサービス情報が、携帯電話機端末により読み出されて復号化される。該復号化されたデータ、及びサービス情報は、上記携帯電話機端末から確認システムに提供されることで、確認システムにおいて該データ等に基づきユーザの本人確認が行われ、それにより、ユーザに対し所定のサービスが付与される（例えば特許文献１参照）。
【０００３】
【特許文献１】特開2005-4357号公報
【発明の開示】
【発明が解決しようとする課題】
【０００４】
ところで、上述した連携サービスシステムでは、携帯電話機端末がアクセスしようとするサービス情報等によっては、携帯電話機端末が本来備えるブラウザ機能だけでは該サービス情報等を閲覧できない場合がある。よって、ユーザ等が携帯電話機端末を利用して上記サービス情報を閲覧するためには、専用のAP（アプリケーション・プログラムのこと。以下同じ）を、該専用のAPを格納するサーバよりダウンロードする必要が生じる。上記携帯電話機端末に対し、上記専用のAPをダウンロードし得るサーバとは、上記携帯電話機端末と所定の（無線）通信回線を通じて通信可能なキャリア（即ち、通信サービスを提供する企業のこと。電気通信事業者ともいう。以下同じ）の管理下に置かれるサーバのことである。
【０００５】
しかし、上記携帯電話機端末側から上記所定の（無線）通信回線を通じて上記キャリアの管理下に置かれるキャリアサーバに照会しても、上記専用のAPのURLに係わる情報を提供するための技術的な手段がキャリア側に備えられていない。そのため、上記専用のＡＰの、キャリアサーバ側からの上記携帯電話機端末への提供は期待できないというのが現状である。
【０００６】
従って本発明の目的は、ICメモリから読み出した識別情報を利用して、該ICメモリを付加した製品の製造元であるメーカーからユーザが享受し得るサービスに係わる全部の情報にアクセスが可能な携帯通信端末を提供することにある。
【０００７】
また、本発明の他の目的は、製品に付加されるICメモリと、該ICメモリとの間で情報通信が行える携帯通信端末と、を含む情報処理システムにおいて、該携帯通信端末が、上記製品に係わるサービス情報の格納先にアクセスするのに必要なプログラムの取得を容易に行えるようにすることにある。
【課題を解決するための手段】
【０００８】
本発明の第１の観点に従う携帯通信端末は、少なくとも通話機能を有するもので、情報処理機能と情報送／受信機能とを有するICメモリへの情報の書込み、及びそのICメモリに格納されている情報の読出しを行う情報書込み／読出し部と、上記情報書込み／読出し部により上記ICメモリから読出された上記ICメモリに係わる識別情報に基づき、所定の情報通信回線を通じて、所望の情報を蓄積する外部情報処理機器にアクセスし、その外部情報処理機器から上記所望の情報を読込む情報アクセス・読込み部と、上記情報アクセス・読込み部により読込まれた情報を、視認可能な態様で表示する表示部と、を備える。
【０００９】
本発明の第１の観点に係る好適な実施形態では、上記ICメモリが、個々の製品毎に付加されるRFIDタグである。
【００１０】
上記とは別の実施形態では、上記情報アクセス・読込み部が、予め上記携帯通信端末内に設定されているwebブラウザ、及び上記所望の情報を閲覧する機能を有する専用のブラウザを含む。
【００１１】
また、上記とは別の実施形態では、上記情報アクセス・読込み部が、所定の情報通信回線を通じて外部情報機器から送信される上記所望の情報を閲覧する機能を有する専用のアプリケーション・プログラムである。
【００１２】
また、上記とは別の実施形態では、上記専用のアプリケーション・プログラムが、上記携帯通信端末の初期設定時に、上記携帯通信端末に対し、所定の通信回線を設定したキャリアの管理下に置かれる情報処理機器から上記所定の通信回線を通じて上記携帯通信端末に送信される。
【００１３】
更に、上記とは別の実施形態では、上記所望の情報を蓄積する外部情報処理機器が、上記専用のブラウザによって閲覧可能な情報を格納する第1の外部情報処理機器と、上記専用のAPによってのみ読込みが可能な情報を格納する第２の外部情報処理機器と、を含む。
【００１４】
本発明の第２の観点に従う情報処理装置は、携帯通信端末に対し、所定の通信回線を設定するキャリアの管理下に置かれるもので、個々の製品に付加される、情報処理機能と情報送／受信機能とを有する個々のICメモリに係わる識別情報と、それらの識別情報毎に対応付けられて設定されている情報であって、上記携帯通信端末が所望の情報を蓄積する外部情報処理機器にアクセスして上記所望の情報を読込むのに必要な専用のアプリケーション・プログラムの格納先に係わる情報とを含む情報管理テーブルを記憶する記憶部と、携帯通信端末が読込んだ上記識別情報が入力された場合に、上記識別情報に対応する上記格納先に係わる情報を上記記憶部に記憶されている情報管理テーブル中から選択する格納先情報選択部と、上記格納先情報選択部により選択された上記格納先情報を、上記携帯通信端末に送信すべく出力する格納先情報出力部と、を備える。
【００１５】
本発明の第２の観点に係る好適な実施形態では、上記携帯通信端末が、上記所定の通信回線を通じて上記格納先情報出力部から出力された上記格納先情報に基づき、上記キャリアの管理下に置かれる、上記専用のアプリケーション・プログラムを格納している情報処理機器にアクセスして、その情報処理機器より上記専用のアプリケーション・プログラムの配信を受ける。
【００１６】
本発明の第３の観点に従う情報処理システムは、個々の製品に付加される、情報処理機能と情報送／受信機能とを有する１又は複数のICメモリと、通話機能と、上記ICメモリに格納されている情報の読出し機能と、を少なくとも有する１又は複数の携帯通信端末と、上記携帯通信端末に対し、所定の通信回線を通じて提供するための、上記ICメモリが付加された個々の製品のユーザが享受し得る各種サービスの内容に係わる情報を蓄積する第１の情報処理装置と、上記携帯通信端末に対し、所定の通信回線を設定するキャリアの管理下に置かれる第2の情報処理装置であって、上記携帯通信端末が、上記所定の通信回線を通じて上記第１の情報処理装置にアクセスして上記各種サービスの内容に係わる情報を読込むのに必要な専用のアプリケーション・プログラムを蓄積する第２の情報処理装置と、上記第２の情報処理装置と共に上記キャリアの管理下に置かれる、上記携帯通信端末が上記専用のアプリケーション・プログラムの蓄積先である上記第２の情報処理装置を検索するのに必要な情報を格納する第3の情報処理装置と、を備え、上記携帯通信端末が、上記第３の情報処理装置に格納されている情報に基づき、上記第2の情報処理装置にアクセスして上記専用のアプリケーション・プログラムを読出し、その専用のアプリケーション・プログラムを利用して上記第１の情報処理装置から所望のサービスの内容に係わる情報を読込むようにしている。
【発明の効果】
【００１７】
本発明によれば、ICメモリから読み出した識別情報を利用して、該ICメモリを付加した製品の製造元であるメーカーからユーザが享受し得るサービスに係わる全部の情報にアクセスが可能な携帯通信端末を提供することができる。
【００１８】
また、本発明によれば、製品に付加されるICメモリと、該ICメモリとの間で情報通信が行える携帯通信端末と、を含む情報処理システムにおいて、該携帯通信端末が、上記製品に係わるサービス情報の格納先にアクセスするのに必要なプログラムの取得を容易に行えるようにすることができる。
【発明を実施するための最良の形態】
【００１９】
以下、本発明の実施の形態を、図面により詳細に説明する。
【００２０】
図１は、本発明の一実施形態に係る情報処理システムの全体構成を示すブロック図である。
【００２１】
上記情報処理システムは、各種情報を記憶するためのデバイスとして、RFIDタグを用いるもので、図１に示すように、複数台の携帯電話機端末１a、１b、１c、・・・と、複数個のRFIDタグ３a、３b、３c、・・・と、複数台のキャリアサーバ５a、５b、５c、・・・と、複数台のサービス情報管理サーバ７a、７b、７c、・・・と、を含む。上記情報処理システムは、上記各部に加えて、更に、複数台のキャリア別APサーバ９a、９b、９c、・・・と、複数台のサービス提供サーバ１１a、１１b、１１c、１１d、・・・と、EPCIS（Electronic Product Code Information Services）サーバ１３、をも含む。図１では、図示と説明の都合上、携帯電話機端末、REIDタグ、キャリアサーバ、サービス情報管理サーバ、及びキャリア別APサーバについては、何れも３個ずつしか記載しておらず、サービス提供サーバについても、４個しか記載していない。また、EPCISサーバについては、１個しか記載していない。
【００２２】
しかし、実際のシステムでは、上述した携帯電話機端末、REIDタグ、キャリアサーバ、サービス情報管理サーバ、キャリア別APサーバ、サービス提供サーバ、及びEPCISサーバは、多数存在しており、本発明の適用範囲も、図１に記載の情報処理システムのみに限定されるものでないのは勿論である。以下では、携帯電話機端末は、符号１aで示したもののみを、REIDタグは、符号３aで示したもののみを、キャリアサーバは、符号５aで示したもののみを、サービス情報管理サーバは、符号７aで示したもののみを、キャリア別APサーバは、符号９aで示したもののみを、夫々例に挙げて詳細に説明することにする。更に、EPCISサーバについては、符号１３で示したもののみを、に挙げて詳細に説明することにする。
【００２３】
図１に記載の情報処理システムでは、キャリアサーバ５a、５b、５c、・・・、サービス情報管理サーバ７a、７b、７c、・・・、及びキャリア別APサーバ９a、９b、９c、・・・は、該システムの構築に参加している個々のキャリア別に設置されている。キャリアサーバ５a、サービス情報管理サーバ７a、及びキャリア別APサーバ９aは、何れも同一のキャリアであるキャリアAに、また、キャリアサーバ５b、サービス情報管理サーバ７b、及びキャリア別APサーバ９bは、何れも同一のキャリアであるキャリアBに、夫々属している。同様に、キャリアサーバ５c、サービス情報管理サーバ７c、及びキャリア別APサーバ９cは、何れも同一のキャリアであるキャリアCに、属している。
【００２４】
キャリアサーバ５a、５b、５c、・・・、及びキャリア別APサーバ９a、９b、９c、・・・は、夫々例えばインターネット等の通信ネットワーク（以下では、「通信ネットワーク」と表記する。）１５に直接接続される。また、サービス提供サーバ１１a、１１b、１１c、１１d、及びEPCISサーバ１３も、直接通信ネットワーク１５に接続される。しかし、サービス情報管理サーバ７aは、該サービス情報管理サーバ７aと共にキャリアAに属するキャリアサーバ５aを通じて、サービス情報管理サーバ７bは、該サービス情報管理サーバ７bと共にキャリアBに属するキャリアサーバ５bを通じて、夫々通信ネットワーク１５に接続される。また、サービス情報管理サーバ７cは、該サービス情報管理サーバ７cと共にキャリアCに属するキャリアサーバ５cを通じて、通信ネットワーク１５に接続される。
【００２５】
携帯電話機端末１aは、キャリアAにより設定された所定の（無線）通信回線（例えば、通信ネットワーク１７）を通じてキャリアサーバ５aとの間で情報通信が可能なモバイル端末であり、また、携帯電話機端末１bは、キャリアBにより設定された所定の（無線）通信回線を通じてキャリアサーバ５bとの間で情報通信が可能なモバイル端末である。更に、携帯電話機端末１cも、キャリアCにより設定された所定の（無線）通信回線を通じてキャリアサーバ５cとの間で情報通信が可能なモバイル端末である。
【００２６】
本実施形態では、携帯電話機端末１aによるREIDタグ３aとの間で行われる情報通信、及びキャリアサーバ５aを通じた情報通信を例に挙げて説明する。キャリアサーバ５aを通じて行われる情報通信とは、サービス情報管理サーバ７a、キャリア別APサーバ９a、サービス提供サーバ（１１a乃至１１dの何れか）、及びEPCISサーバ１３と、携帯電話機端末１aとの間で行われる情報通信のことである。携帯電話機端末１b、及び携帯電話機端末１cによる情報通信に係わる説明については、携帯電話機端末１aによる情報通信に係わる説明と実質的に重複するので省略する。
【００２７】
RFIDタグ３aは、識別対象である個品に貼付されているもので、REIDタグ３aには、予め該REIDタグ３aに付与されている該RFIDタグ３a自身の識別情報、即ち、ID情報が格納されている。該ID情報は、携帯電話機端末１aにより該REIDタグ３aから読み出される。
【００２８】
キャリアサーバ５aは、携帯電話機端末１aと、サービス情報管理サーバ７aとの間、携帯電話機端末１aと、キャリア別APサーバ９aとの間、携帯電話機端末１aと、サービス提供サーバ１１a（若しくは、サービス提供サーバ１１b乃至１１dの何れか）との間、において夫々行われる情報通信を仲介する。同様に、キャリアサーバ５aは、携帯電話機端末１aと、EPCISサーバ１３との間において行われる情報通信をも仲介する。キャリアサーバ５aは、通信ネットワーク１７を通じて携帯電話機端末１aとの間の情報通信経路が確立されると、最初に、通信ネットワーク１５を通じてキャリア別APサーバ９aにアクセスし、キャリア別APサーバ９aからサービス提供サーバ１１b乃至１１dの何れかにアクセスするのに必要な専用のAPを読み出す。そして、該読み出した専用のAPを、通信ネットワーク１７を通じて携帯電話機端末１aにダウンロードする。
【００２９】
キャリアサーバ５aは、通信ネットワーク１７を通じて携帯電話機端末１aから、RFIDタグ３aのID情報と共にサービス情報管理サーバ７aの管理下にある情報（これについては、後述する。）へのアクセス要求が送信されると、上記ID情報をサービス情報管理サーバ７aに送信する。キャリアサーバ５aは、サービス情報管理サーバ７aから、上記ID情報に対応する情報が送信されると、該情報を通信ネットワーク１７を通じて携帯電話機端末１aへ送信する。キャリアサーバ５aは、通信ネットワーク１７を通じて携帯電話機端末１aからサービス提供サーバ１１aの管理下に置かれる各種サービス内容に係わる情報（即ち、どのようなサービスの提供が受けられるかを示す情報のこと。以下、同じ）へのアクセス要求が送信されると、これを受信する。そして、通信ネットワーク１５を通じてサービス提供サーバ１１aにアクセスし、サービス提供サーバ１１aから上記アクセス要求に対応するサービス内容に係わる情報を読み出すと共に、該読み出したサービス内容に係わる情報を、通信ネットワーク１７を通じて携帯電話機端末１aにダウンロードする。
【００３０】
キャリアサーバ１aは、また、通信ネットワーク１７を通じて携帯電話機端末１aからサービス提供サーバ１１b乃至１１dの何れかの管理下に置かれる各種サービス内容に係わる情報へのアクセス要求が送信されると、これを受信する。そして、通信ネットワーク１５を通じてサービス提供サーバ１１b乃至１１dの何れかにアクセスし、サービス提供サーバ１１aから上記アクセス要求に対応するサービス内容に係わる情報を読み出すと共に、該読み出したサービス内容に係わる情報を、通信ネットワーク１７を通じて携帯電話機端末１aにダウンロードする。キャリアサーバ５aは、通信ネットワーク１７を通じて携帯電話機端末１aからEPCISサーバ１３の管理下に置かれる、上記RFIDタグ３aが貼付された個品に係わる物流のトレース情報へのアクセス要求が送信されると、通信ネットワーク１５を通じてEPCISサーバ１３にアクセスし、EPCISサーバ１３から上記アクセス要求に対応する物流のトレース情報を読み出す。そして、該読み出した物流のトレース情報を、通信ネットワーク１７を通じて携帯電話機端末１aにダウンロードする。
【００３１】
サービス情報管理サーバ７aは、キャリアサーバ５aを通じて入力された上記ID情報（即ち、RFIDタグ３aのID情報）に基づき、上記ID情報に対応するサービス内容に係わる情報にアクセスするための専用のAPのURL（格納先）情報を選択する。そして、該選択した専用のAPのURL情報を、キャリアサーバ５aに出力する。
【００３２】
キャリア別APサーバ９aには、携帯電話機端末１a、即ち、キャリアAにより設定された所定の（無線）通信回線を通じてキャリアサーバ５aとの間で情報通信が可能なモバイル端末に対してのみ、ダウンロードされる専用のAPが格納されている。該専用のAPとは、携帯電話機端末１aが、上述したサービス内容に係わる情報（サービス提供サーバ１１b乃至１１dの何れかに格納されている）にアクセスするのに必要不可欠なAPである。
【００３３】
また、キャリア別APサーバ９bにも、キャリア別APサーバ９aにおけると同様に、携帯電話機端末１b、即ち、キャリアBにより設定された所定の（無線）通信回線を通じてキャリアサーバ５bとの間で情報通信が可能なモバイル端末に対してのみ、ダウンロードされる専用のAPが格納されている。該専用のAPとは、携帯電話機端末１bが、上述したサービス内容に係わる情報（サービス提供サーバ１１b乃至１１dの何れかに格納されている）にアクセスするのに必要不可欠なAPである。
【００３４】
更に、キャリア別APサーバ９cにも、キャリア別APサーバ９aや、キャリア別APサーバ９bにおけると同様に、携帯電話機端末１c、即ち、キャリアCにより設定された所定の（無線）通信回線を通じてキャリアサーバ５cとの間で情報通信が可能なモバイル端末に対してのみ、ダウンロードされる専用のAPが格納されている。該専用のAPとは、携帯電話機端末１cが、上述したサービス内容に係わる情報（サービス提供サーバ１１b乃至１１dの何れかに格納されている）にアクセスするのに必要不可欠なAPである。
【００３５】
サービス提供サーバ１１aには、携帯電話機端末１a、１b、１cに予め内蔵されているブラウザ（このブラウザについては、後述する。）により読み込みが可能なサービス内容に係わる情報が、サービス提供サーバ１１b乃至１１dには、上述した各々のキャリア別APサーバ９a乃至９cに夫々内蔵されている専用のAPにより読み込みが可能なサービス内容に係わる情報が、格納されている。サービス提供サーバ１１aに内蔵されている上記情報は、携帯電話機端末１aに内蔵されているブラウザにより、通信ネットワーク１５、キャリアサーバ５a、及び通信ネットワーク１７を通じて読み込まれる。上記情報は、他の携帯電話機端末１b、１cのブラウザによっても、夫々通信ネットワーク15、及び対応するキャリアサーバ５b、５c等を通じて読み込まれる。
【００３６】
EPCISサーバ１３には、上述したREIDタグ３aが貼付されている個品（図示しない）や、RFIDタグ３bが貼付されている個品（図示しない）や、RFIDタグ３cが貼付されている個品（図示しない）等に係わる物流のトレース情報が格納されている。上記物流のトレース情報は、例えば携帯電話機端末１aに内蔵される上述した専用のAPにより、通信ネットワーク１５、キャリアサーバ５a、及び通信ネットワーク１７を通じて読み込まれる。
上記物流のトレース情報は、他の携帯電話機端末１b、１cに内蔵される上述した専用のAPによっても、夫々通信ネットワーク１５、及び対応するキャリアサーバ５b、５c等を通じて読み込まれる。
【００３７】
図２は、図１に記載の情報処理システムを構成する携帯電話機端末の内部構成を示す機能ブロック図である。
【００３８】
図１に記載の携帯電話機端末１a、１b、１cは、内部構成が同一であるので、以下では、図２に記載の機能ブロック図は、携帯電話機端末１aの内部構成に係わるものとして説明する。
【００３９】
既に説明した内容から明らかなように、携帯電話機端末１aには、RFIDタグ３aに記録されている各種の情報、例えば、該REIDタグ３aが貼付されている個品のID（識別）情報等の該個品に係わる情報を読み取る機能が搭載されているものである。携帯電話機端末１aは、図２において、制御部２１と、音声入／出力部２３と、記憶部２５と、通信部２７と、アンテナ２９と、入力部３１と、表示部３３と、RFID R/W部３５と、バスライン３７と、電磁誘導用コイル３９と、を備える。
【００４０】
音声入／出力部２３は、ユーザ等から発せられる音声を入力して電気信号に変換し、該電気信号を、携帯電話機端末１aに内蔵される所定の信号処理系統（図示しない）に出力する小型の内蔵マイクロフォン（図示しない）を含む。音声入／出力部２３は、上記に加えて、上記所定の信号処理系統（図示しない）を通じて出力される電気信号を、音声に変換して外部に出力する小型の内蔵スピーカ（図示しない）をも含む。音声入／出力部２３から上記所定の信号処理系統（図示しない）に入力された電気信号は、バスライン３７を通じて通信部２７に出力され、通信部２７からアンテナ２９を通じて無線送信される。一方、音声入／出力部２３からの音声は、アンテナ２９が無線送信された電波を受信することで、該電波からの電気信号が、通信部２７、バスライン３７、及び上記所定の信号処理系統（図示しない）を通じて音声入／出力部２３に入力されることによって出力されるものである。
【００４１】
通信部２７は、音声入／出力部２３、上述した所定の信号処理系統（図示しない）、及びバスライン３７を通じて入力される電気信号で所定の搬送波を変調し、該変調波を、アンテナ２９を通じて無線送信する。通信部２７は、アンテナ２９を通じて受信した、無線送信された変調波を復調し、該復調により得られた電気信号を、バスライン３７、及び上述した所定の信号処理系統（図示しない）を通じて音声入／出力部２３に出力する。
【００４２】
通信部２７は、制御部２１の制御下で、通信ネットワーク１７（即ち、キャリアAにより設定された所定の（無線）通信回線）を通じてキャリアサーバ５a側から無線送信される電波を、アンテナ２９を通じて受信する。そして、該受信した電波を復調することによって得た諸々のディジタルデータを、バスライン３７、及び制御部２１を通じて表示部３３に可視画像の態様で表示出力する。キャリアサーバ５aから携帯電話機端末１a側に無線送信されるディジタルデータ、即ち、ダウンロードされるディジタルデータとしては、サービス情報管理サーバ７aからの専用のAPのURL情報や、キャリア別APサーバ９aからの専用のAPを示すアイコン等の識別データが挙げられる。上記に加えて、サービス提供サーバ１１a乃至１１dからのサービス内容に係わる情報を示すタイトル等の識別情報や、EPCISサーバ１３からの物流のトレース情報等も、携帯電話機端末１aへダウンロードされるディジタルデータとして挙げられる。
【００４３】
入力部３１には、各種の操作キー（図示しない）が配置されている。ユーザ等がこれら各種の操作キー（図示しない）を操作することにより、該操作に対応した電気信号が、ユーザからの指令信号として、バスライン３７を通じて制御部２１に入力される。
【００４４】
表示部３３は、その表示動作が、バスライン３７を通じて制御部２１の制御下に置かれる。表示部３３に表示出力される情報としては、例えば、（携帯電話機端末１a）自身の電話番号情報、キャリアAを含む複数のキャリア等によって構築される携帯電話機システムを通じて通話を行う相手方電話機端末（携帯電話機端末であると、固定型の電話機端末であるとを問わない。）の電話番号情報等が挙げられる。表示部３３に表示出力される情報としては、上記に加えて、ユーザ等により入力部３１を通じて携帯電話機端末１aに入力された各種の指令情報（操作情報）や、通信部２７からバスライン３７を通じて出力される専用のAPのURL情報も挙げられる。表示部３３に表示出力される情報としては、上記に加えて、更に、専用のAPを示すアイコン等の識別データや、サービス内容に係わる情報を示すタイトル等の識別情報や、物流のトレース情報等も挙げられる。
【００４５】
REID R/W部３５は、バスライン３７を通じて制御部２１の制御下に置かれ、携帯電話機端末１aがRFIDタグ３aと至近距離に置かれることにより、電磁誘導用コイル３９を通じてRFIDタグ３a側に駆動電力を供給して、RFIDタグ３aを起動状態にすることで、RFIDタグ３aに格納されているID情報の読み出し、RFIDタグ３aへの情報の書き込みを行う。RFID R/W部３５によりRFIDタグ３aから読み出されたID情報は、バスライン３７を通じて制御部２１に出力される。そして、上記ID情報は、バスライン３７を通じて表示部３３に可視画像の態様で表示出力されるのみならず、バスライン３７、通信部２７、及びアンテナ２９を通じてキャリアサーバ５a側に無線送信される。
【００４６】
記憶部２５には、例えば、制御部２１が上記各部の駆動を制御するためのプログラム（制御用プログラム）や、ユーザ等が入力部３１の各種キー（図示しない）を操作することにより携帯電話機端末１aに入力される諸々のデータ等を格納する。記憶部２５は、バスライン３７を通じて制御部２１から出力されるデータ読出要求を受けると、格納しているデータ中から該データ読出要求に対応するデータを、バスライン３７を通じて制御部２１に出力する。記憶部２５は、バスライン３７を通じて制御部２１からデータ書込指令が出力されると、該データ書込指令に対応するデータを読み込んで所定の記憶領域に格納する。
【００４７】
制御部２１は、記憶部２５に格納されている制御用プログラムに従って、上述した携帯電話機端末１aの各部の駆動を制御する。制御部２１は、REID
R/W部３５がRFIDタグ３aから読み出したID情報を、バスライン３７を通じて入力すると、該ID情報を可視画像として、表示部３３に表示出力する。制御部２１は、また、上記ID情報を、バスライン３７を通じて通信部２７に出力することで、通信部２７、アンテナ２９、及び通信ネットワーク（即ち、キャリアAが設定した所定の（無線）通信回線）１７を通じてキャリアサーバ５a側に無線送信する。
【００４８】
制御部２１は、通信ネットワーク１７、アンテナ２９、及び通信部２７を通じてキャリアサーバ５a側から無線送信される、上記専用のAPのURL情報（サービス情報管理サーバ７aの管理下に置かれる。）や、上記専用のAP（キャリア別APサーバ９aの管理下に置かれる。）を入力する。制御部２１は、上記に加えて、通信ネットワーク１７、アンテナ２９、及び通信部２７を通じてキャリアサーバ５a側から無線送信される、上記サービス内容に係わる情報（サービス提供サーバ１１a乃至１１dの何れかの管理下に置かれる。）や、上記物流のトレース情報をも入力する。制御部２１は、上記専用のAPのURL情報や、上記専用のAPを示すアイコン等の識別データや、上記サービス内容に係わる情報を示すタイトル等の識別情報や、物流のトレース情報等を、可視画像の態様でバスライン３７を通じて表示部３３に表示出力する。
【００４９】
図３は、図２に記載の携帯電話機端末１aの記憶部２５に格納され、制御部２１上で処理動作を実行する複数のプログラムを示す機能ブロック図である。
【００５０】
図３に示すように、制御部２１上には、基本ソフトウェア（OS）４５を始め、RFID基本ソフトウェア４７、アプリケーション・プログラム（即ち、AP）４１、ブラウザ４３、ドライバ４９、及びLAN制御用プログラム５１が展開される。基本ソフトウェア４５は、上述した携帯電話機端末１aの各部が、所定の処理動作を実行するのに必要な制御用プログラムであり、携帯電話機端末１aの製造時に、携帯電話機端末１aにインストールされる。RFID基本ソフトウェア４７は、制御部２１がRFID R/W部３５を通じてRFIDタグ３aから上述したID情報等を読み出したり、或いは、RFIDタグ３aに対し、所定の情報を書き込んだりするに際して起動されるソフトウェアである。RFID基本ソフトウェア４７も、上述した基本ソフトウェア４５におけると同様に、携帯電話機端末１aの製造時に、携帯電話機端末１aにインストールされる。
【００５１】
ブラウザ４３は、webブラウザ、及び上述したサービス内容に係わる情報を閲覧する機能を有する専用のブラウザを含む。Webブラウザは、起動することにより、通信ネットワーク１７、キャリアサーバ５a、及び通信ネットワーク１５を通じてサービス提供サーバ１１aにアクセスする。専用のブラウザは、起動することにより、webブラウザがアクセスした、サービス提供サーバ１１aの管理下に置かれる上記サービス内容に係わる情報を、閲覧する。即ち、上記サービス内容に係わる情報が、可視画像の態様で、図２で示した（携帯電話機端末１aの）表示部３３に表示出力される。なお、ブラウザ４３についても、上述した基本ソフトウェア４５や、RFID基本ソフトウェア４７におけると同様に、携帯電話機端末１aの製造時に、携帯電話機端末１aにインストールされる。
【００５２】
AP４１は、例えば、携帯電話機端末１aがキャリアAにより設定された所定の（無線）通信回線（即ち、通信ネットワーク１７）を通じて最初にキャリアサーバ５aとの間で交信を行うに際して、キャリア別APサーバ９aから通信ネットワーク１５、キャリアサーバ５a、及び通信ネットワーク１７を通じて携帯電話機端末１aにダウンロードされる。上記AP４１が、携帯電話機端末１aがサービス提供サーバ１１b乃至１１dの管理下に置かれる上記サービス内容に係わる情報の何れかを読み込むに際して起動される専用のAPである。
【００５３】
なお、ドライバ４９は、図２で示したRFID
R/W部３５を起動するためのソフトウェアであり、LAN制御用プログラム５１は、携帯電話機端末１aがキャリアサーバ５a側と交信するに際して、通信ネットワーク１７（即ち、キャリアAにより設定された（無線）通信回線）と接続するに際して起動するプログラムである。ドライバ４９、及びLAN制御用プログラム５１も、上述した基本ソフトウェア４５や、RFID基本ソフトウェア４７、及びブラウザ４３におけると同様に、携帯電話機端末１aの製造時に、携帯電話機端末１aにインストールされる。
【００５４】
図４は、図１に記載のサービス情報管理サーバ７aの管理下に置かれるサービス情報管理テーブルの一例を示す説明図である。
【００５５】
上記サービス情報管理テーブルは、図４に示すように、ID情報記録欄５５と、サービスAPのURL記録欄５７と、を含む。
【００５６】
ID情報記録欄５５には、種々の個品に貼付された状態で実際に流通過程に置かれている多数のRFIDタグを識別するためのID情報が個別に記録されている。サービスAPのURL記録欄５７を構成する個々の記録欄は、ID情報記録欄５５を構成する個々の記録欄に対応させて設定されている。サービスAPのURL記録欄５７には、ID情報記録欄５５に記録されている個々のID情報に対応するサービスAPのURL（例えば、図１に示した例では、キャリア別APサーバ９a、９b、９c等）が個別に記録されている。本実施形態では、ID情報記録欄５５に記録されているID情報である“10xxxx”は、図１で示したRFIDタグ３aのID情報であり、該ID情報“10xxxx”に対応するサービスAPのURL“xxxx”は、図１で示したキャリア別APサーバ９aに係わるものである。よって、サービス情報管理サーバ７aは、キャリアサーバ５aからID情報として“10xxxx”が送信された場合には、上記サービス情報管理テーブルを参照することにより、サービスAPのURLとしてキャリア別APサーバ９aのURLである“xxxx”を選択してキャリアサーバ５aに出力することになる。
【００５７】
他のID情報“20xxxx”、“30xxxx”、及び“40xxxx”と、他のサービスAPのURL“△△△△”、“○○○○”、及び“□□□□”についても、上記と同様である。
【００５８】
図５は、図１に記載のサービス提供サーバ１１a乃至１１dの管理下に置かれる、ユーザに提供されるサービス内容に係わる情報が記録されているテーブルの一例を示す説明図である。
【００５９】
上記テーブルは、図５に示すように、コード種別情報記録欄５９と、メーカー名情報記録欄６１と、製品分類情報記録欄６３と、シリアルNo.情報記録欄６５と、を含む。
【００６０】
コード種別情報記録欄５９には、図４で示した（サービス情報管理テーブルに含まれる）ID情報記録欄５５に記録されているのと同一の情報（ID情報）が、コード種別情報として個別に記録されている。メーカー名情報記録欄６１には、コード種別情報記録欄５９にコード種別情報として夫々記録されている個々のID情報を格納したRFIDタグ（３a、３b、３c、・・・）が貼付されている個品の製造元、即ち、メーカー名に係わる情報が、コード種別情報記録欄５９を構成する個々の記録欄に対応させて記録されている。例えば、コード種別情報“10xxxx”に係わるRFIDタグ（即ち、RFIDタグ３a）が貼付されている個品の製造元は、メーカー名“ABCDE”であり、コード種別情報“20xxxx”に係わるRFIDタグが貼付されている個品の製造元は、メーカー名“BCDEF”である。また、コード種別情報“30xxxx”に係わるRFIDタグが貼付されている個品の製造元は、メーカー名“CDEFG”であり、コード種別情報“40xxxx”に係わるRFIDタグが貼付されている個品の製造元は、メーカー名“DEFGH”である。
【００６１】
製品分類情報記録欄６３には、メーカー名情報記録欄６１に個別に記録されている各々のメーカーが製造元になっている個品が、予め規定された複数の製品分類中の何れの製品分類に属するのか識別するための情報が、メーカー名情報記録欄６１を構成する個々の記録欄に対応させて記録されている。ここで、製品分類とは、例えば、各々の個品に係わる具体的な製品名、或いは、各々の個品の一般名称（普通名称）のことを指す。各々の個品の一般名称としては、例えば、ラジオ受信機、テレビジョン（TV）受像機、ディジタルスチルカメラ、FAX、複写機、パーソナル・コンピュータ（パソコン）等が挙げられる。例えば、メーカー名“ABCDE”が製造元である個品の製品分類は“1000AB”であり、メーカー名“BCDEF”が製造元である個品の製品分類は“2000BC”であり、メーカー名“CDEFG”が製造元である個品の製品分類は“3000CD”であり、メーカー名“DEFGH”が製造元である個品の製品分類は“4000DE”である。
【００６２】
仮に、製品分類“1000AB”が、TV受像機を表す情報であるとすれば、コード種別情報“10xxxx”が記録されているRFIDタグ３a（図１で示した）が貼付された個品は、TV受像機であることになる。また、製品分類“2000BC”が、ディジタルスチルカメラを表す情報であるとすれば、コード種別情報“20xxxx”が記録されているRFIDタグ（例えば、図１において符号３bで示すRFIDタグ）が貼付された個品は、ディジタルスチルカメラであることになる。また、製品分類“3000CD”が、FAXを表す情報であるとすれば、コード種別情報“30xxxx”が記録されているRFIDタグ（例えば、図１において符号３cで示すRFIDタグ）が貼付された個品は、FAXである。更に、製品分類“4000DE”が、複写機を表す情報であるとすれば、コード種別情報“40xxxx”が記録が記録されているRFIDタグ（図示しない）が貼付された個品は、複写機である。
【００６３】
シリアルNo.情報記録欄６５には、各々の個品を所持するユーザ等に対し提供が可能なサービス内容に係わる情報（即ち、各々の個品を所持するユーザ等に対し、どのようなサービスが提供可能かを示す情報）が、製品分類情報記録欄６３を構成する個々の記録欄に対応させて個別に記録されている。例えば、製品分類“1000AB”に係わるシリアルNo.は“abcde”であり、製品分類“2000BC”に係わるシリアルNo.は“bcdef”であり、製品分類“3000CD”に係わるシリアルNo.は“cdefg”であり、製品分類“4000DE”に係わるシリアルNo.は“defgh”である。
【００６４】
仮に、シリアルNo.“abcde”が、対象製品のリコール対策に係わるものであれば、製品分類“1000AB”、即ち、“ABCDE”メーカーの製造に係わるTV受像機（RFIDタグ３aが貼付された個品）のユーザ等が該“ABCDE”メーカーから受けられるサービスは、該製品に関するリコール情報の提供ということになる。また、シリアルNo.“bcdef”が、宝くじの抽選への参加に係わるものであれば、製品分類“2000BC”、即ち、“BCDEF”メーカーの製造に係わるディジタルスチルカメラ（RFIDタグ３bが貼付された個品）のユーザ等が該“BCDEF”メーカーから受けられるサービスは、宝くじの抽選への招待ということになる。また、シリアルNo.“cdefg”が、ゲームソフトのダウンロードに係わるものであれば、製品分類“3000CD”、即ち、“CDEFG”メーカーの製造に係わるFAX（RFIDタグ３cが貼付された個品）のユーザ等が該“CDEFG”メーカーから受けられるサービスは、ゲームソフトのダウンロードということになる。更に、シリアルNo.“defgh”が、新製品の買い替えキャンペーンに係わるものであれば、製品分類“4000DE”、即ち、“DEFGH”メーカーの製造に係わる複写機（上述したRFIDタグ３a乃至３c以外のRFIDタグ（図示しない）が貼付された個品）のユーザ等が該“DEFGH”メーカーから受けられるサービスは、新製品の買い替えキャンペーン情報の提供ということになる。
【００６５】
図６は、図１に記載の情報処理システムを構成する各部の間で実行される情報通信の処理手順の一例を示すシーケンス図である。
【００６６】
図６に示すシーケンスが実行されるに先立ち、（携帯電話機端末１aがサービス提供サーバ（１１b乃至１１d）にアクセスするのに必要な専用のAPが、予めキャリア別APサーバ９aから通信ネットワーク１５、キャリアサーバ５a、及び通信ネットワーク１５を通じて携帯電話機端末１aにダウンロードされているものとする。
【００６７】
図６において、まず、携帯電話機端末１aが情報通信の対象であるRFIDタグ3aとの間で交信することにより、RFIDタグ３aに格納されているID情報の読み取りを行う。即ち、携帯電話機端末１aからRFIDタグ３aに対し、ID情報読取要求を送信すると（ステップS７１）、該要求を受信したREIDタグ３aは、該要求への応答として、UII（EPC Gen2エアー・インタフェース・プロトコルの固有アイテム識別子のこと。）バンクに格納されているID情報を、携帯電話機端末１aに送信する（ステップS７２）。RFIDタグ３aから送信された上記ID情報を受信すると、携帯電話機端末１aは、上記ID情報を、通信ネットワーク１７を通じてキャリアサーバ5aへ（無線）送信する。上記ID情報は、キャリアサーバ５aから更にサービス情報管理サーバ７aへと送信される（ステップS７３）。
【００６８】
一方、サービス提供サーバ（１１b乃至１１d）側では、ユーザ（即ち、携帯電話機端末１ａ）側に提供可能な諸々のサービス内容に係わる情報（例えば、図５で示したような）が準備され、上記情報が夫々対応するサービス提供サーバ（１１ｂ乃至１１d）に格納される（ステップＳ７４）。上記サービス内容に係わる情報の、サービス提供サーバ（１１b乃至１１ｄ）への格納作業が終了すると、各々のサービス提供サーバ１１b乃至１１ｄは、上記サービス内容に係わる情報に含まれるコード種別情報（ID情報）を、該送信元であるサービス提供サーバ（１１ｂ乃至１１ｄ）の識別情報と共に、夫々通信ネットワーク１５、及びキャリアサーバ５ａを通じてサービス情報管理サーバ７aへ送信する（ステップS７５）。
【００６９】
上記コード種別情報（ID情報）を受信すると、サービス情報管理サーバ７aは、上記各々のサービス提供サーバ１１ｂ乃至１１dに対し、上記コード種別情報（ID情報）の受信を完了した旨を、夫々キャリアサーバ５a、及び通信ネットワーク１５を通じて送信する。これにより、サービス情報管理サーバ７aが、管理対象となる個々のRFIDタグの識別情報（ID情報）別に、どのサービス提供サーバ（１１b乃至１１ｄの何れ）にアクセスすればユーザ所望のサービス内容に係る情報が得られるかを把握できることになる（ステップＳ７６）。
【００７０】
この状態において、携帯電話機端末１ａから送信された上記ＩＤ情報を、通信ネットワーク１７、及びキャリアサーバ５ａを通じて受信すると（ステップＳ７３）、サービス情報管理サーバ７ａは、上記ID情報に基づき、サービス提供サーバ（１１ｂ乃至１１d）から送信された上記コード種別情報、及び上記識別情報に基づき、アクセス先であるサービス提供サーバ（１１ｂ乃至１１d）を検索する（ステップS７７）。そして、該検索により得られたアクセス先情報を、キャリアサーバ５a、及び通信ネットワーク１７を通じて携帯電話機端末１aに送信する（ステップS７８）。携帯電話機端末１aが上記アクセス先情報を受信することにより、上記アクセス先情報が、可視画像情報として携帯電話機端末１aの表示部３３（図1に記載）に表示される（ステップS７９）。
【００７１】
表示部３３に表示されたアクセス先情報を視認したユーザが、サービス提供サーバ（１１b乃至１１ｄの何れか）からのサービス内容に係わる情報の提供を所望して、（入力部３１を操作することにより）該情報の送信要求に係わる指令を携帯電話機端末１aに入力する（ステップS８０）。これにより、該送信要求が、携帯電話機端末１aから通信ネットワーク１７、キャリアサーバ５a、及び通信ネットワーク１５を通じてサービス提供サーバ（１１b乃至１１ｄの何れか）に送信される（ステップS８１）。
【００７２】
サービス提供サーバ（１１b乃至１１ｄの何れか）が、上記送信要求を受信すると（ステップS８２）、（図５に記載のテーブルに格納されている）上述したサービス内容に係わる情報中から、上記コード種別情報（ID情報）に対応する情報を検索する（ステップS８３）。そして、該検索の結果得られた（サービス内容に係わる）情報を、通信ネットワーク１５、キャリアサーバ５a、及び通信ネットワーク１７を通じて携帯電話機端末１aに送信する（ステップS８４）。携帯電話機端末１aが上記サービス内容に係わる情報を受信することにより、上記情報が、可視画像情報として携帯電話機端末１aの表示部３３（図1に記載）に表示される。
【００７３】
以上説明したように、本発明の一実施形態によれば、携帯電話機端末１aが、RFIDタグ３aから読み出した識別情報（ID情報）を利用して、RFIDタグ３aが貼付された個品（製品）の製造元であるメーカーからユーザが享受し得るサービスに係わる全部の情報にアクセスが可能な携帯電話機端末１aを提供することができる。
【００７４】
また、本発明の一実施形態によれば、図１に記載の情報処理システムにおいて、RFIDタグのID情報に対応するサービス内容に係わる情報へのアクセスに必要な専用APのURL情報をサービス情報として格納するサービス情報管理サーバ（７a、７b、７c、・・・）を備えることとしたので、携帯電話機端末（１a、１ｂ、１c、・・・）が、上記専用APのダウンロードを容易に行えるようになった。
【００７５】
以上、本発明の好適な実施形態を説明したが、これらは本発明の説明のための例示であって、本発明の範囲をこれらの実施形態にのみ限定する趣旨ではない。本発明は、他の種々の形態でも実施することが可能である。例えば、ユーザが、携帯電話機端末１aの図２で示した入力部３１に配置されているRFID
R/W部３５を起動するための操作キー（図示しない）を操作した場合にのみ、携帯電話機端末１aの駆動電源を投入するようにすれば、携帯電話機端末１aにおける無駄な電力消費を抑制できる。
【００７６】
また、サービス提供サーバ（１１b乃至１１d）側からサービス内容に係わる情報を、携帯電話機端末１a側に提供するに際し、パソコン端末の演算処理速度に適した情報量から、携帯電話機端末１aにとって必須不可欠の情報だけを抽出して携帯電話機端末１aに送信するようにすれば、携帯電話機端末１aの制御部２１による上記情報に対する演算処理時の負荷を低減することも可能になる。
【図面の簡単な説明】
【００７７】
【図１】本発明の一実施形態に係る情報処理システムの全体構成を示すブロック図。
【図２】図１に記載した情報処理システムを構成する携帯電話機端末の内部構成を示す機能ブロック図。
【図３】図２に記載した携帯電話機端末の記憶部に格納され、制御部上で処理動作を実行する複数のプログラムを示す機能ブロック図。
【図４】図１に記載したサービス情報管理サーバの管理下に置かれるサービス情報管理テーブルの一例を示す説明図。
【図５】図１に記載したサービス提供サーバの管理下に置かれる、ユーザに提供されるサービス内容に係わる情報が記録されているテーブルの一例を示す説明図。
【図６】図１に記載した情報処理システムを構成する各部の間で実行される情報通信の処理手順の一例を示すシーケンス図。
【符号の説明】
【００７８】
１a、１b、１c  携帯電話機端末
３a、３b、３c  RFIDタグ
５a、５b、５c  キャリアサーバ
７a、７b、７c  サービス情報管理サーバ
９a、９b、９c  キャリア別APサーバ
１１a、１１b、１１c、１１d  サービス提供サーバ
１３  EPCIS（Electronic Product Code Information Services）サーバ
１５  通信ネットワーク（インターネット）
１７  通信ネットワーク
２１  制御部
２３  音声入力部
２５  記憶部
２７  通信部
２９  アンテナ
３１  入力部
３３  表示部
３５  RFID R/W部
３７  バスライン
３９  電磁誘導用コイル
４１  アプリケーション・プログラム（AP）
４３  ブラウザ
４５  基本ソフトウェア
４７  RFIDソフトウェア
４９  ドライバ
５１  LAN制御用プログラム
【図１】
2009135609.tif 000003
【図２】
2009135609.tif 000004
【図３】
2009135609.tif 000005
【図４】
2009135609.tif 000006
【図５】
2009135609.tif 000007
【図６】
2009135609.tif 000008